(57)【特許請求の範囲】
【請求項１】
平面視矩形状をなし、シュレッダーの筐体内から取り出される際にこぼれ落ちた細断屑を受けるシュレッダー用トレイであって、
前記筐体が上面の一部に載置される平面部の少なくとも三方を囲むように、周縁に沿って前記平面部よりも高い帯状の段差部が設けられた平板材からなり、
この段差部は、平行に配置される一対の第１の段差部と、この一対の第１の段差部の一端同士を接続する第２の段差部からなることを特徴とするシュレッダー用トレイ。
【請求項２】
前記平面部は、第１の平面部と第２の平面部からなり、
前記平板材は、一対の前記第１の段差部の一方と前記第２の段差部が設けられるとともに前記第１の平面部を有して平面視矩形状をなす第１の平板材と、一対の前記第１の段差部の他方が設けられるとともに前記第２の平面部を有して平面視矩形状をなす第２の平板材からなり、
前記第２の平面部は、その縦の長さが前記第１の平面部の長さと等しく、かつ、その横の長さが前記第１の平面部の横の長さよりも短くなるように形成されたことを特徴とする請求項１に記載のシュレッダー用トレイ。
【請求項３】
前記第１の平板材の前記第１の平面部は、前記第２の平板材の前記第２の平面部をその間へ挿設可能に配置されるとともに前記第１の段差部側の一辺同士と前記第２の段差部側の一辺同士が互いに接続された第１のシート片と第２のシート片からなり、
前記第２のシート片は、その縦の長さが前記第１のシート片の縦の長さと等しく、かつ、その横の長さが前記第１のシート片の横の長さよりも短くなるように形成されて前記第１のシート片の上方に配置されたことを特徴とする請求項２に記載のシュレッダー用トレイ。
【請求項４】
前記第１の段差部を形成する堰き止め部材を備え、
前記平板材の上面には、前記第２の段差部に直交する複数本の直線上に複数の凸部がそれぞれ設けられ、
前記堰き止め部材の下面には、前記凸部に嵌合する凹部が前記直線上に設けられた複数の前記凸部に対応する箇所にそれぞれ設けられたことを特徴とする請求項１に記載のシュレッダー用トレイ。
【請求項５】
前記堰き止め部材の下面には、前記凹部が設けられる代わりに、その長さ方向と平行にガイド溝が設けられ、
前記平板材の上面には、前記凸部が設けられる代わりに、このガイド溝に嵌合する複数本のガイドレールが前記第２の段差部の長さ方向に直交するように設けられたことを特徴とする請求項４に記載のシュレッダー用トレイ。
【請求項６】
前記平面部は、蛇腹状部材を介して連結される第３の平面部と第４の平面部からなり、
前記第２の段差部は、一方が他方へ内挿可能に形成される第１の筒体及び第２の筒体からなり、
前記平板材は、一対の前記第１の段差部の一方と前記第１の筒体が設けられるとともに前記第３の平面部を有して平面視矩形状をなす第３の平板材と、一対の前記第１の段差部の他方と前記第２の筒体が設けられるとともに前記第４の平面部を有して平面視矩形状をなす第４の平板材からなることを特徴とする請求項１に記載のシュレッダー用トレイ。
【請求項７】
前記段差部は、その高さが前記平面部側から前記平板材の前記周縁に向かって徐々に低くなるような直角三角形状の断面を有することを特徴とする請求項１又は請求項６のいずれか１項に記載のシュレッダー用トレイ。
【請求項８】
前記平板材は可撓性を有する部材によって形成されたことを特徴とする請求項１乃至請求項７のいずれか１項に記載のシュレッダー用トレイ。
【発明の詳細な説明】
【技術分野】
【０００１】
本発明は、シュレッダーの下方に設置された状態で用いられるトレイに係り、特に、シュレッダーの筐体に設けられた扉を開いて細断屑を取り出す際に、細断屑を捕集して周囲への散乱を防ぐことが可能なシュレッダー用トレイに関する。
【背景技術】
【０００２】
不要な書類を処分する場合、機密情報等の漏洩を防ぐために、シュレッダーが用いられることがある。シュレッダーを用いると、廃棄対象物を即座に小さく細断し、識別不能な状態にすることができる。このようにして発生した細断屑はシュレッダーの筐体内に設置された容器に一時的に収容される。なお、設置スペースを節約するため、近年では、小型のシュレッダーが好まれる傾向にあり、その関係で、当該容器も容量が少ない場合が多い。そのため、シュレッダーの使用者は筐体内の細断屑を廃棄する作業をかなりの頻度で行う必要がある。
【０００３】
一般に、シュレッダーには、筐体の一部に扉が設けられており、この扉を開けて上述の容器を引き出す構造となっている。しかし、細断屑を廃棄しようとする場合、通常、容器は細断屑で一杯になっている。そのため、従来、筐体から引き出す際の振動で細断屑が容器からあふれ落ちたり、引き出した容器から別の容器や袋等に移し替える際に細断屑がこぼれ落ちたりして、床上に散乱してしまうという課題があった。
【０００４】
このような課題を解決するものとして、例えば、特許文献１には、「細断屑受け具及びシュレッダー」という名称で、シュレッダーの筐体内で飛散した細断屑を受けるための機構に関する考案が開示されている。
この考案に係る細断屑受け具は、シュレッダー装置の内部において屑受け容器の下に設置され、周縁部にフランジが立設された可撓性を有する平板状部材本体を含むことを特徴としている。このような構造によれば、折り曲げたり、折り畳んだりして、表面に堆積した細断屑をその中央部に寄せ集めることで、ちりとりのようにして捨てることができる。
【０００５】
また、特許文献２には、「シュレッダーの屑受板」という名称で、縦横のフレームで構成された引出し式キャビネットの最上段に設けられた細断機の直下に、屑箱として引出しが設けられたシュレッダーに取り付けられる屑受板に関する発明が開示されている。
この発明に係る屑受板は、極薄の平板からなり、屑箱を挿入するフレームの水平枠の内側縁部に着脱可能に載置されて、水平枠の開放部を閉止することを特徴とする。このような構造によれば、屑箱を出し入れする際に細断屑が舞い上がって屑箱の背面から下方へ舞い落ちたとしても、それらの細断屑は屑受板上に回収されるため、次段に設置された収納箱内に落下することを防止できる。
【先行技術文献】
【特許文献】
【０００６】
【特許文献１】登録実用新案第３１６８１９７号公報
【特許文献２】特開平９−１４１１１７号公報
【発明の概要】
【発明が解決しようとする課題】
【０００７】
特許文献１に記載された考案では、シュレッダーの筐体内で飛散した細断屑を容易に収集できるものの、シュレッダーの筐体内から屑受け容器を取り出す際にこぼれ落ちる細断屑については収集できないという課題があった。また、シュレッダーの筐体の内底面にサイズが適合しない場合は使用できないため、汎用性に乏しいという課題があった。さらに、複数のシュレッダーに対して共通に用いる場合には、シュレッダーを使用する度に、その筐体内に設置しなければならないため、作業効率が悪いという課題もあった。
【０００８】
特許文献２に記載された発明では、シュレッダーのフレームを構成する水平枠の中央に形成された開放部が閉止されるため、屑箱の出し入れに伴って舞い上がった細断屑が当該開放部を通って次段の収納箱や床上に落下することについては防止できるものの、細断屑が屑箱の脇からこぼれ落ちることは防止できないという課題があった。また、水平枠のサイズが異なるシュレッダーについては設置できないことから、汎用性に乏しいという課題もあった。
【０００９】
本発明はかかる従来の事情に対処してなされたものであって、シュレッダーの筐体内から取り出される途中でこぼれ落ちた細断屑が床上等に散乱することを防いで、その回収を容易にするとともに、筐体のサイズが異なるシュレッダーに対しても支障なく用いることが可能なシュレッダー用トレイを提供することを目的とする。
【課題を解決するための手段】
【００１０】
上記目的を達成するため、第１の発明は、平面視矩形状をなし、シュレッダーの筐体内から取り出される際にこぼれ落ちた細断屑を受けるシュレッダー用トレイであって、筐体が上面の一部に載置される平面部の少なくとも三方を囲むように、周縁に沿って帯状の段差部が設けられた平板材からなり、この段差部は、平行に配置される一対の第１の段差部と、この一対の第１の段差部の一端同士を接続する第２の段差部からなることを特徴とするものである。
【００１１】
このような構造のシュレッダー用トレイにおいては、細断屑が収容された容器等をシュレッダーの筐体内から引き出す際に、容器等からこぼれ落ちた細断屑を平面部が受けるとともに、段差部が、その細断屑が平面部から飛び出さないように受け止めて周囲に散乱することを防ぐという作用を有する。また、本発明のシュレッダー用トレイは平板材によって構成されるため、床上に設置する場合にも嵩張ることがない。
【００１２】
また、第２の発明は、第１の発明において、平面部は、第１の平面部と第２の平面部からなり、平板材は、一対の第１の段差部の一方と第２の段差部が設けられるとともに第１の平面部を有して平面視矩形状をなす第１の平板材と、一対の第１の段差部の他方が設けられるとともに第２の平面部を有して平面視矩形状をなす第２の平板材からなり、第２の平面部は、その縦の長さが第１の平面部の長さと等しく、かつ、その横の長さが第１の平面部の横の長さよりも短くなるように形成されたことを特徴とするものである。
【００１３】
このような構造のシュレッダー用トレイにおいては、第１の平面部に第２の平面部の少なくとも一部を重ねるようにして第２の平板材を第１の平板材上に載置すると、第１の平面部と第２の平面部によって形成される平面部が一対の第１の段差部と第２の段差部によって三方を囲まれた状態となるため、第１の発明と同様の作用が発揮される。そして、この状態で第２の平板材を第１の平板材上で第２の段差部の長さ方向に沿ってスライドさせると、第１の発明の作用に加え、一対の第１の段差部の間隔が容易に調節されるという作用を有する。
【００１４】
第３の発明は、第２の発明において、第１の平板材の第１の平面部は、第２の平板材の第２の平面部をその間へ挿設可能に配置されるとともに第１の段差部側の一辺同士と第２の段差部側の一辺同士が互いに接続された第１のシート片と第２のシート片からなり、第２のシート片は、その縦の長さが第１のシート片の縦の長さと等しく、かつ、その横の長さが第１のシート片の横の長さよりも短くなるように形成されて第１のシート片の上方に配置されたことを特徴とするものである。
【００１５】
このような構造のシュレッダー用トレイにおいては、第２の発明の作用に加え、第１の平板材の第１のシート片と第２のシート片の間に第２の平板材の第２の平面部が挿設された場合に、第１のシート片及び第２のシート片と第２の平面部の間でそれぞれ摩擦力が発生するため、第２の平板材の第２の平面部が第１の平板材の第１の平面部から抜き取り難くなるという作用を有する。
【００１６】
第４の発明は、第１の発明において、第１の段差部を形成する堰き止め部材を備え、平板材の上面には、第２の段差部に直交する複数本の直線上に複数の凸部がそれぞれ設けられ、堰き止め部材の下面には、凸部に嵌合する凹部が直線上に設けられた複数の凸部に対応する箇所にそれぞれ設けられたことを特徴とするものである。
【００１７】
このような構造のシュレッダー用トレイにおいては、第１の発明の作用に加え、凹部に凸部を嵌め込むことで堰き止め部材が平板材に対して着脱可能に取り付けられるという作用を有する。また、平板材に対する堰き止め部材の取り付け箇所を変更することで、一対の第１の段差部の間隔が容易に調節されるという作用を有する。
【００１８】
第５の発明は、第４の発明において、堰き止め部材の下面には、凹部が設けられる代わりに、その長さ方向と平行にガイド溝が設けられ、平板材の上面には、凸部が設けられる代わりに、このガイド溝に嵌合する複数本のガイドレールが第２の段差部の長さ方向に直交するように設けられたことを特徴とするものである。
【００１９】
このような構造のシュレッダー用トレイにおいては、第１の発明の作用に加えて、ガイド溝にガイドレールを通すことで堰き止め部材が平板材に対して着脱可能に取り付けられるという作用を有する。また、平板材に対する堰き止め部材の取り付け箇所を変更することで、一対の第１の段差部の間隔が容易に調節されるという第４の発明の作用が同様に発揮される。
【００２０】
第６の発明は、第１の発明において、平面部は、蛇腹状部材を介して連結される第３の平面部と第４の平面部からなり、第２の段差部は、一方が他方へ内挿可能に形成される第１の筒体及び第２の筒体からなり、平板材は、一対の第１の段差部の一方と第１の筒体が設けられるとともに第３の平面部を有して平面視矩形状をなす第３の平板材と、一対の第１の段差部の他方と第２の筒体が設けられるとともに第４の平面部を有して平面視矩形状をなす第４の平板材からなることを特徴とするものである。
【００２１】
このような構造のシュレッダー用トレイにおいては、一対の第１の段差部の間隔が容易に調節されるという第２の発明の作用が同様に発揮される。また、蛇腹状部材によって第３の平板材と第４の平板材が第２の段差部の長さ方向への移動を許容されつつ、互いに分離不能に連結されるという作用を有する。さらに、第１の筒体と第２の筒体の一方を他方に内挿した場合、第１の筒体及び第２の筒体によって、第３の平板材と第４の平板材が第２の段差部の長さ方向に対してのみ移動可能に保持されるという作用を有する。
【００２２】
第７の発明は、第１の発明乃至第６の発明のいずれかにおいて、段差部は、その高さが平面部側から平板材の周縁に向かって徐々に低くなるような直角三角形状の断面を有することを特徴とするものである。
このような構造のシュレッダー用トレイにおいては、第１の発明乃至第６の発明のいずれかの作用に加えて、段差部を足で踏んでも怪我をし難く、また、平板材の外側に落下した細断屑も箒等を用いることで、段差部越しに平面部内へ容易に掃き入れられるという作用を有する。
【００２３】
第８の発明は、第１の発明乃至第７の発明のいずれかにおいて、平板材が可撓性を有する部材によって形成されたことを特徴とするものである。
このような構造のシュレッダー用トレイにおいては、第１の発明乃至第７の発明のいずれかの作用に加えて、細断屑を平面部から別の容器や袋へ移し替える際に、平面部を幅方向の中央で折り曲げると、細断屑が中央に集まり、上述の移し替え作業が容易になるという作用を有する。
【発明の効果】
【００２４】
第１の発明によれば、シュレッダーの筐体内から細断屑が収容される容器等を引き出す際に、容器等から平面部へと落下した細断屑は平面部内に留まり、周囲へ散乱するおそれがないため、回収が容易である。さらに、本発明は平板材によって構成されるため、清掃作業の際に邪魔にならず、また、通行の際にも障害となり難いため、安全である。
【００２５】
第２の発明では、シュレッダーの筐体の横幅が異なる場合でも、筐体の側面に一対の第１の段差部の側面を当接させることで、平面部に落下した細断屑の飛び出しが段差部によって阻止される。したがって、第２の発明によれば、筐体の横幅が異なるシュレッダーに対しても細断屑を容易に回収できるという効果が同様に発揮される。
【００２６】
第３の発明によれば、第２の発明の効果に加え、シュレッダーの筐体の下に設置する際や筐体の下から取り出す際に、第１の平板材と第２の平板材が勝手に分離し難いため、作業性が良いという効果を奏する。
【００２７】
第４の発明によれば、シュレッダーの筐体の横幅が異なる場合でも、筐体の側面に一対の第１の段差部の側面を当接させた状態にできるため、平面部に落下した細断屑の飛び出しを段差部によって防ぐことで、細断屑の回収作業を容易にするという効果を奏する。なお、本発明では、一対の第１の段差部の間隔が段階的に変化し、第２の発明や第３の発明のように当該間隔が連続的に変化するものではないため、筐体の横幅が異なるシュレッダーに適用できるといっても、第２の発明や第３の発明に比べると、その適用範囲は広くない。しかしながら、本発明では、堰き止め部材が平板材から勝手に外れてしまう可能性は極めて低いため、第１の平板材と第２の平板材が分離する可能性が比較的高い第２の発明や第３の発明に比べると、設置や持ち運びの際の作業性は格段に優れている。
【００２８】
第５の発明によれば、平板材に対する堰き止め部材の取り付け及び取り外しが第４の発明に比べて容易でありながら、堰き止め部材が平板材から勝手に外れ難いため、設置や持ち運びの際の作業性に優れるとともに、筐体の横幅が異なるシュレッダーに対しても適用できるという第４の発明の効果が同様に発揮される。
【００２９】
第６の発明によれば、第１の発明の効果に加えて、第３の平板材と第４の平板材が分離不能に、かつ、一対の第１の段差部の間隔を容易に調節可能に連結されているため、設置や持ち運びの際の作業性に優れるとともに、筐体の横幅が異なるシュレッダーに対しても適用できるという効果がより一層発揮される。
【００３０】
第７の発明によれば、第１の発明乃至第６の発明のいずれかの効果に加えて、清掃時の作業性と安全性に優れるという効果を奏する。
【００３１】
第８の発明によれば、第１の発明乃至第７の発明のいずれかの効果に加えて、細断屑を平面部から別の容器や袋へ移し替える際の作業効率が高まるという効果を奏する。
【図面の簡単な説明】
【００３２】
【図１】（ａ）及び（ｃ）はそれぞれ本発明の実施の形態に係るシュレッダー用トレイの実施例１の外観斜視図及び平面図であり、（ｂ）は同図（ａ）におけるＡ方向矢視図であり、（ｄ）は同図（ａ）におけるＢ−Ｂ線矢視断面図である。
【図２】（ａ）及び（ｂ）はそれぞれ実施例１のシュレッダー用トレイの使用状態を示す斜視図及びそのシュレッダー用トレイを分解した状態を示す平面図である。
【図３】（ａ）及び（ｄ）は実施例１のシュレッダー用トレイの変形例を示す平面図であり、（ｂ）及び（ｃ）はそれぞれ同図（ａ）におけるＣ−Ｃ線矢視断面図及びＤ−Ｄ線矢視断面図である。
【図４】（ａ）及び（ｂ）はいずれも本発明の実施の形態に係るシュレッダー用トレイの実施例２の平面図であり、（ｂ）は同図（ａ）におけるＥ−Ｅ線矢視断面図である。
【図５】（ａ）及び（ｂ）はいずれも本発明の実施の形態に係るシュレッダー用トレイの実施例３の平面図であり、（ｂ）は同図（ａ）におけるＦ−Ｆ線矢視断面図である。
【図６】（ａ）は本発明の実施の形態に係るシュレッダー用トレイの実施例４の外観斜視図であり、（ｂ）は同図（ａ）におけるＧ−Ｇ線矢視断面図であり、（ｃ）は同図（ａ）に示したシュレッダー用トレイの使用状態を示す斜視図である。
【図７】（ａ）及び（ｃ）はいずれも図６に示したシュレッダー用トレイの平面図であり、（ｃ）及び（ｄ）はそれぞれ同図（ａ）及び同図（ｃ）におけるＨ−Ｈ線矢視断面図及びＩ−Ｉ線矢視断面図である。
【発明を実施するための形態】
【００３３】
本発明のシュレッダー用トレイについて図１乃至図７を用いて説明する。なお、以下の説明では、細断屑を収容するための容器が筐体に内蔵されたシュレッダーを例に挙げているが、本発明は、これに限らず、当該容器が筐体に内蔵されていなくとも筐体内に一時的に細断屑が収容される構造のシュレッダー全般に対して適用可能である。
【実施例１】
【００３４】
図１（ａ）及び図１（ｃ）はそれぞれ本実施例のシュレッダー用トレイの外観斜視図及び平面図であり、図１（ｂ）は図１（ａ）におけるＡ方向矢視図であり、図１（ｄ）は図１（ｃ）におけるＢ−Ｂ線矢視断面図である。なお、図１（ｂ）及び図１（ｄ）では図１（ａ）や図１（ｃ）よりも拡大した状態で示している。
また、図２（ａ）及び図２（ｂ）はそれぞれ本実施例のシュレッダー用トレイの使用状態を示す斜視図及びシュレッダー用トレイを分解した状態を示す平面図である。
【００３５】
図１（ａ）乃至図１（ｃ）に示すように、シュレッダー用トレイ１ａは、平面視矩形状をなす平板材２，３からなり、その周縁に沿って平面部２ａ，３ａの少なくとも三方を囲むように段差部２ｂ〜２ｄ及び段差部３ｂ，３ｃが帯状に設けられている。
平板材２，３は合成樹脂等の可撓性を有する部材によって形成されている。また、図１（ｄ）に示すように、段差部２ｂ〜２ｄ及び段差部３ｂ，３ｃは、その高さが平面部２ａ，３ａ側からそれぞれ平板材２，３の周縁に向かって徐々に低くなるような直角三角形状の断面を有している。
【００３６】
平行に配置される一対の段差部２ｂ，３ｂは、一端が段差部２ｄによって接続されるとともに、他端にそれぞれ一対の段差部２ｃ，３ｃが接続されている。そして、段差部２ｃ，３ｃは所定の間隔をあけて対向するように配置されている。すなわち、図２（ａ）に示すように、シュレッダー用トレイ１ａでは、この段差部２ｃ，３ｃの間に、筐体１３の前面１３ａが段差部２ｄと平行になるような状態でシュレッダー１２が設置される構造となっている。
【００３７】
図２（ｂ）に示すように、段差部２ｂ〜２ｄは平板材２に設けられ、段差部３ｂ，３ｃは平板材３に設けられている。なお、平面部３ａは、縦の長さが平面部２ａの長さと等しく、横の長さが平面部２ａの長さの半分となるように形成されている。
【００３８】
このような構造のシュレッダー用トレイ１ａにおいては、細断屑が収容された容器等をシュレッダー１２の筐体１３から引き出す際に、容器等からこぼれ落ちた細断屑を平面部２ａ，３ａが受けるとともに、段差部２ｂ〜２ｄ及び段差部３ｂ，３ｃが、その細断屑が平面部２ａ，３ａから飛び出さないように受け止めて周囲に散乱することを防ぐという作用を有する。したがって、平面部２ａ，３ａで受けた細断屑はその内部に留まり、周囲へ散乱するおそれがないため、回収が容易である。
【００３９】
さらに、シュレッダー用トレイ１ａは平板材２，３によって構成され、床上に設置した場合でも嵩張らないため、清掃作業の際に邪魔にならず、また、通行の際にも障害となり難いため、安全である。
そして、平板材３を平板材２の上面で段差部２ｄの長さ方向に沿ってスライドさせると、一対の段差部２ｂ，３ｂ及び段差部２ｃ，３ｃの間隔が容易に調節されることから、筐体１３の横幅が異なるシュレッダー１２に対しても、筐体１３の側面に一対の段差部２ｃ，３ｃの端面を当接させ、平面部２ａ，３ａに落下した細断屑の飛び出しを段差部２ｂ〜２ｄ及び段差部３ｂ，３ｃによって阻止することにより、細断屑を容易に回収することができる。
【００４０】
また、シュレッダー用トレイ１ａにおいては、段差部２ｂ〜２ｄ及び段差部３ｂ，３ｃを足で踏んでも怪我をし難い。さらに、平板材２，３の外側に落下した細断屑も箒等を用いれば、段差部２ｂ〜２ｄ及び段差部３ｂ，３ｃ越しに平面部２ａ，３ａ内へ容易に掃き入れることができる。したがって、清掃時の作業性と安全性に優れている。
加えて、シュレッダー用トレイ１ａでは、細断屑を平面部２ａ，３ａから別の容器や袋へ移し替える際に、平面部２ａ，３ａを幅方向の中央で折り曲げると、細断屑が中央に集まるため、移し替えが容易である。したがって、細断屑を平面部２ａ，３ａから別の容器や袋へ効率良く移し替えることができる。
【００４１】
図３（ａ）及び図３（ｄ）はシュレッダー用トレイ１ａの変形例に相当するシュレッダー用トレイ１ｂを示す平面図であり、図３（ｂ）及び図３（ｃ）はそれぞれ図３（ａ）におけるＣ−Ｃ線矢視断面図及びＤ−Ｄ線矢視断面図である。なお、図３（ｂ）及び図３（ｃ）では図３（ａ）や図３（ｄ）よりも拡大した状態で示している。また、図３（ａ）は図１（ｃ）において段差部２ｃと段差部３ｃの間隔が狭くなるように平板材３を段差部２ｄの長手方向に沿ってスライドさせた図に相当する。さらに、図３（ｄ）は図２（ｂ）に対応している。
【００４２】
図３（ａ）乃至図３（ｄ）に示すように、シュレッダー用トレイ１ｂは、シュレッダー用トレイ１ａにおいて、平板材２の平面部２ａは、平板材３の平面部３ａをその間へ挿設可能に配置されるとともに段差部２ｂ側の一辺同士と段差部２ｄ側の一辺同士が互いに接続された２枚のシート片４ａ，４ｂからなり、平板材３が平面部３ａをシート片４ａ，４ｂによって上下から挟み込まれた状態に設置されることを特徴とする。
なお、シート片４ｂは、縦の長さがシート片４ａと等しく、横の長さがシート片４ａの長さの半分と等しい。また、平面部３ａは、縦の長さが段差部３ｂの長さと等しく、横の長さがシート片４ａの横の長さよりも短くなるように形成されている。
【００４３】
このような構造のシュレッダー用トレイ１ｂにおいては、平板材２のシート片４ａ，４ｂの間に平板材３の平面部３ａが挿設されている場合、シート片４ａ，４ｂと平面部３ａの間でそれぞれ摩擦力が発生するため、平板材３の平面部３ａが平板材２の平面部２ａから抜き取り難くなる。したがって、平板材２と平板材３が勝手に分離し難いため、シュレッダー１２の筐体１３の下に設置したり、筐体１３の下から取り出したりする作業を効率良く行うことができる。
【実施例２】
【００４４】
図４（ａ）及び図４（ｂ）はいずれも本実施例のシュレッダー用トレイの外観を示した平面図であり、図４（ｃ）は図４（ａ）におけるＥ−Ｅ線矢視断面図である。なお、図４（ｃ）では図４（ａ）や図４（ｂ）よりも拡大した状態で示している。また、図１乃至図３に示した構成要素については同一の符号を付して、その説明を省略する。
【００４５】
図４（ａ）乃至図４（ｃ）に示すように、シュレッダー用トレイ１ｃは、シュレッダー用トレイ１ａにおいて、平板材２，３の代わりに、平面視矩形状をなして周縁の一部に沿って平面部５ａを囲むように段差部５ｂ〜５ｄが帯状に設けられた平板材５を備えている。なお、平板材５は合成樹脂等の可撓性を有する部材によって形成されている。
【００４６】
さらに、平板材５の上面には、凸部７が段差部５ｄの長さ方向に直交する４本の直線上にそれぞれ３か所ずつ、合計１２か所に設けられている。また、段差部５ｂ，５ｃは、一対の堰き止め部材６，６によって形成され、堰き止め部材６の下面には、同一直線上に設けられた３つの凸部７に対応する３か所に、凹部６ａが凸部７に対して嵌合可能に設けられている。
すなわち、堰き止め部材６は、凹部６ａに凸部７を嵌合させることにより、段差部５ｄの長さ方向と直交する状態で平板材５に対して着脱可能に取り付けられる構造となっている。
【００４７】
このような構造のシュレッダー用トレイ１ｃにおいては、凹部６ａに凸部７を嵌め込むことで堰き止め部材６が平板材５に対して着脱可能に取り付けられる。そして、平板材５に対する堰き止め部材６の取り付け箇所を変更すると、段差部５ｂ，５ｂ及び段差部５ｃ，５ｃの間隔が容易に調節される。
したがって、シュレッダー１２の筐体１３の横幅が異なる場合でも、筐体１３の側面に段差部５ｃ，５ｃの端面を当接させた状態にできるため、平面部５ａに落下した細断屑の飛び出しを段差部５ｂ〜５ｄによって防ぐことで、容易に細断屑を回収することができる。
【００４８】
なお、シュレッダー用トレイ１ｃでは、段差部５ｂ，５ｂ及び段差部５ｃ，５ｃの間隔が段階的に変化し、シュレッダー用トレイ１ａ，１ｂのように段差部２ｂ，３ｂ及び段差部２ｃ，３ｃの間隔が連続的に変化するものではないため、筐体１３の横幅が異なるシュレッダー１２に適用できるといっても、シュレッダー用トレイ１ａ，１ｂに比べると、その適用範囲は広くない。しかしながら、シュレッダー用トレイ１ｃでは、堰き止め部材６が平板材５から勝手に外れてしまう可能性は極めて低い。そのため、平板材２と平板材３が分離する可能性が比較的高いシュレッダー用トレイ１ａ，１ｂに比べると、設置や持ち運びの際の作業性が格段に優れるというメリットがある。
【実施例３】
【００４９】
図５（ａ）及び図５（ｂ）はいずれも本実施例のシュレッダー用トレイの外観を示した平面図であり、図５（ｃ）は図５（ａ）におけるＦ−Ｆ線矢視断面図である。なお、図５（ｃ）では図５（ａ）や図５（ｂ）よりも拡大した状態で示している。また、図１乃至図４に示した構成要素については同一の符号を付して、その説明を省略する。
【００５０】
図５（ａ）乃至図５（ｃ）に示すように、シュレッダー用トレイ１ｄは、シュレッダー用トレイ１ｃにおいて、堰き止め部材６の下面に、複数の凹部６ａが設けられる代わりに、その長さ方向と平行にガイド溝６ｂが設けられ、平板材５の上面に、複数の凸部７が設けられる代わりに、ガイド溝６ｂに嵌合する４本のガイドレール８が段差部５ｄの長さ方向に直交するように段差部５ｃと段差部５ｄの間に設けられた構造となっている。
なお、図５（ｃ）に示すように、ガイドレール８は先端の幅が基端の幅よりも広いため、ガイド溝６ｂに対してガイドレール８が嵌合するように堰き止め部材６が平板材５に取り付けられた場合、堰き止め部材６は段差部５ｄと直交する方向に対してのみスライド可能となり、平面部５ａと直交する方向に対しては着脱不能となる。
【００５１】
このような構造のシュレッダー用トレイ１ｄでは、ガイド溝６ｂにガイドレール８を通すことで堰き止め部材６が平板材５に対して着脱可能に取り付けられる。そして、平板材５に対する堰き止め部材６の取り付け箇所を変更すると、シュレッダー用トレイ１ｃの場合と同様に段差部５ｂ，５ｂの間隔が容易に調節される。
すなわち、シュレッダー用トレイ１ｄでは、平板材５に対する堰き止め部材６の取り付け及び取り外しがシュレッダー用トレイ１ｃよりも容易である。そして、堰き止め部材６が平板材５から勝手に外れ難いため、設置や持ち運びの際の作業性に優れるとともに、筐体１３の横幅が異なるシュレッダー１２に対してもシュレッダー用トレイ１ｃの場合と同様に適用することができる。
【実施例４】
【００５２】
図６（ａ）は本実施例のシュレッダー用トレイの外観斜視図であり、図６（ｂ）は図６（ａ）におけるＧ−Ｇ線矢視断面図であり、図６（ｃ）は本実施例のシュレッダー用トレイの使用状態を示す斜視図である。また、図７（ａ）及び図７（ｃ）はいずれも本実施例のシュレッダー用トレイの平面図であり、図７（ｃ）及び図７（ｄ）はそれぞれ図７（ａ）及び図７（ｃ）におけるＨ−Ｈ線矢視断面図及びＩ−Ｉ線矢視断面図である。
なお、図６（ｂ）と図７（ｂ）及び図７（ｃ）ではいずれも図６（ａ）や図７（ａ）及び図７（ｃ）よりも拡大した状態で示している。また、図１乃至図５に示した構成要素については同一の符号を付して、その説明を省略する。
【００５３】
図６及び図７に示すように、シュレッダー用トレイ１ｅは、平面視矩形状をなし、蛇腹状部材１１を介して連結される平面部９ａ，１０ａをそれぞれ有して平面視矩形状をなす平板材９，１０からなり、その周縁に沿って平面部９ａ，１０ａを囲むように段差部９ｂ〜９ｄ及び段差部１０ｂ〜１０ｄがそれぞれ帯状に設けられている。なお、平板材９，１０は合成樹脂等の可撓性を有する部材によって形成されている。
【００５４】
図６（ｂ）に示すように、段差部９ｄ，１０ｄは、一端が開口し、他端が閉塞された角筒体からなり、段差部１０ｄは段差部９ｄに対して挿通可能な大きさに形成されている。なお、段差部９ｄは、段差部１０ｄを内部へ挿通した際に、平面部１０ａと干渉しないように、切欠き９ｅが開口端から所定の深さまで設けられている。また、段差部９ｂ，９ｃ及び段差部１０ｂ，１０ｃは、いずれも断面が矩形状をなしている。
【００５５】
このような構造のシュレッダー用トレイ１ｅにおいては、段差部９ｂ，１０ｂ及び段差部９ｃ，１０ｃの間隔の調節が容易である。そして、蛇腹状部材１１によって平板材９，１０が段差部９ｄ，１０ｄの長さ方向への移動を許容されつつ、互いに分離不能に連結されている。さらに、段差部９ｄと、これに内挿される段差部１０ｄによって、平板材９，１０が段差部９ｄ，１０ｄの長さ方向に対してのみ移動可能に保持されている。
したがって、シュレッダー用トレイ１ｅは、設置や持ち運びの際の作業性が良好であって、しかも、筐体１３の横幅が異なるシュレッダー１２に対しても適用できるという優れた効果を有している。
【００５６】
なお、本発明のシュレッダー用トレイは、実施例１乃至実施例４に示した構造に限定されるものではない。例えば、シュレッダー用トレイ１ａ，１ｂにおける段差部２ｃ，３ｃやシュレッダー用トレイ１ｃ，１ｄにおける段差部５ｃ、あるいはシュレッダー用トレイ１ｅにおける段差部９ｃ，１０ｃを設けずに、筐体１３の側面に段差部２ｂ，３ｂや段差部５ｂや段差部９ｂ，１０ｂの側面を当接させる構造としても良い。また、段差部１０ｄが段差部９ｄに内挿される代わりに、段差部９ｄが段差部１０ｄに内挿される構造とすることもできる。
【００５７】
また、シュレッダー用トレイ１ｃ〜１ｅにおいて、段差部５ｂ〜５ｄと段差部９ｂ〜９ｄと段差部１０ｂ〜１０ｄの断面を、シュレッダー用トレイ１ａ，１ｂにおける段差部２ｂ〜２ｄの断面と同様の直角三角形状とすることもできる。
さらに、シュレッダー用トレイ１ｃ，１ｄにおいて、平板材５に対して凸部７やガイドレール８を設ける代わりに凹部６ａやガイド溝６ｂを設けるとともに、堰き止め部材６に対して凹部６ａやガイド溝６ｂを設ける代わりに凸部７やガイドレール８を設けても良い。加えて、凹部６ａと凹部７の個数及びガイド溝６ｂとガイドレール８の本数は、各実施例に示した場合に限らず、適宜変更可能である。
【産業上の利用可能性】
【００５８】
本発明は、筐体内に一時的に収容された細断屑を適宜取出して廃棄する作業を必要とするシュレッダーに対して適用可能である。
【符号の説明】
【００５９】
１ａ〜１ｅ…シュレッダー用トレイ  ２…平板材  ２ａ…平面部  ２ｂ〜２ｄ…段差部  ３…平板材  ３ａ…平面部  ３ｂ，３ｃ…段差部  ４ａ，４ｂ…シート片  ５…平板材  ５ａ…平面部  ５ｂ〜５ｄ…段差部  ６…堰き止め部材  ６ａ…凹部  ６ｂ…ガイド溝  ７…凸部  ８…ガイドレール  ９…平板材  ９ａ…平面部  ９ｂ〜９ｄ…段差部  ９ｅ…切欠き  １０…平板材  １０ａ…平面部  １０ｂ〜１０ｄ…段差部  １１…蛇腹状部材  １２…シュレッダー  １３…筐体  １３ａ…前面      
【図１】
0006660591.tif 000002
【図２】
0006660591.tif 000003
【図３】
0006660591.tif 000004
【図４】
0006660591.tif 000005
【図５】
0006660591.tif 000006
【図６】
0006660591.tif 000007
【図７】
0006660591.tif 000008